【手続補正書】
【提出日】平成16年12月1日(2004.12.1)
【手続補正１】
【補正対象書類名】明細書
【補正対象項目名】特許請求の範囲
【補正方法】変更
【補正の内容】
【特許請求の範囲】
【請求項１】
各種のコンテンツを符号化する情報源符号化手段と、
該情報源符号化手段から出力される情報源符号化ビット列をパケットに格納するとともに該パケットの一部分を秘匿化してパケット列を生成するパケット化・スクランブル手段と、
複数の情報源符号化ビット列をパケット単位に多重化して多重化ビット列を生成する多重化手段と、
前記パケット化・スクランブル手段および前記多重化手段を制御する秘匿化・多重化制御手段とを有する限定受信方式の送信装置において、
前記秘匿化・多重化制御手段が、前記多重化ビット列において、最大多重化遅延時間よりも大きな時間間隔でスクランブル鍵を更新するように制御することを特徴とする限定受信方式の送信装置。
【請求項２】
パケット化・スクランブル手段が、情報源符号化ビット列を可変長パケットのペイロードに格納して可変長パケットを生成することを特徴とする請求項１記載の限定受信方式の送信装置。
【請求項３】
各種のコンテンツを符号化する情報源符号化手段と、
該情報源符号化手段から出力される情報源符号化ビット列をパケットに格納するとともに該パケットの一部分を秘匿化してパケット列を生成するパケット化・スクランブル手段と、
複数の情報源符号化ビット列をパケット単位に多重化して多重化ビット列を生成する多重化手段と、
前記パケット化・スクランブル手段および前記多重化手段を制御する秘匿化・多重化制御手段とを有する限定受信方式の送信装置において、
前記パケット化・スクランブル手段が、パケットの一部分を秘匿化するために使用したスクランブル鍵を格納するＥＣＭを特定するためのＥＣＭ特定番号をパケットのヘッダで通知することを特徴とする限定受信方式の送信装置。
【請求項４】
パケット化・スクランブル手段が、情報源符号化ビット列を可変長パケットのペイロードに格納して可変長パケットを生成することを特徴とする請求項３記載の限定受信方式の送信装置。
【請求項５】
パケット単位に多重化された多重化ビット列をコンテンツ毎のパケット列に分離する多重分離手段と、
パケット列において秘匿化された部分の秘匿を解除するとともに、パケットを分解して情報源符号化ビット列を生成するパケット分解・デスクランブル手段と、
情報源符号化ビット列を復号してコンテンツを再生する情報源復号手段とを有する限定受信方式の受信装置において、
前記パケット分解・デスクランブル手段が、ＥＣＭ特定番号を参照して、パケットの一部分を秘匿化するために使用したスクランブル鍵を特定し、パケットの秘匿化部分の秘匿を解除することを特徴とする限定受信方式の受信装置。
【請求項６】
各種のコンテンツを符号化する情報源符号化手段と、
該情報源符号化手段から出力される情報源符号化ビット列をパケットに格納して該パケットの一部分を秘匿化するパケット化・スクランブル手段と、
複数の情報源符号化ビット列をパケット単位に多重化して多重化ビット列を生成する多重化手段と、
前記パケット化・スクランブル手段および前記多重化手段を制御する秘匿化・多重化制御手段とを有する限定受信方式の送信装置において、
前記秘匿化・多重化制御手段が、秘匿化についての優先度に基づいてパケットの秘匿特性を制御することを特徴とする限定受信方式の送信装置。
【請求項７】
秘匿化・多重化制御手段は、コンテンツ毎の情報源符号化モード単位に設定された秘匿化についての優先度に基づいてパケットの秘匿特性を制御することを特徴とする請求項６記載の限定受信方式の送信装置。
【請求項８】
秘匿化・多重化制御手段は、秘匿化についての優先度に基づき、暗号の種類、およびＣＢＣモードやＯＦＢモード等の暗号の利用モードを変えて暗号化することを特徴とする請求項６または請求項７に記載の限定受信方式の送信装置。
【請求項９】
秘匿化・多重化制御手段は、秘匿化についての優先度に基づき、秘匿化期間を制御することを特徴とする請求項６または請求項７に記載の限定受信方式の送信装置。
【請求項１０】
パケット化・スクランブル手段が、情報源符号化ビット列を可変長パケットのペイロードに格納して可変長パケットを生成することを特徴とする請求項６から請求項９のいずれか１項に記載の限定受信方式の送信装置。
【請求項１１】
多重化手段は、複数の情報源符号化ビット列を該情報源符号化ビット列毎に与えられた多重化遅延に基づく優先度に基づいてパケット単位に多重化して多重化ビット列を生成することを特徴とする請求項１または請求項３または請求項６に記載の限定受信方式の送信装置。
【手続補正２】
【補正対象書類名】明細書
【補正対象項目名】００１６
【補正方法】変更
【補正の内容】
【００１６】
【課題を解決するための手段】
この発明に係る限定受信方式の送信装置は、秘匿化・多重化制御手段が多重化ビット列において、最大多重化遅延時間よりも大きな時間間隔でスクランブル鍵を更新するように制御するものである。
【手続補正３】
【補正対象書類名】明細書
【補正対象項目名】００１８
【補正方法】変更
【補正の内容】
【００１８】
この発明に係る限定受信方式の送信装置は、パケット化・スクランブル手段がパケットの一部分を秘匿化するために使用したスクランブル鍵を格納するＥＣＭを特定するためのＥＣＭ特定番号をパケットのヘッダで通知するようにしたものである。
【手続補正４】
【補正対象書類名】明細書
【補正対象項目名】００２０
【補正方法】変更
【補正の内容】
【００２０】
この発明に係る限定受信方式の送信装置は、秘匿化・多重化制御手段が秘匿化についての優先度に基づいてパケットの秘匿特性を制御するようにしたものである。
【手続補正５】
【補正対象書類名】明細書
【補正対象項目名】００２１
【補正方法】変更
【補正の内容】
【００２１】
この発明に係る限定受信方式の送信装置は、秘匿化・多重化制御手段がコンテンツ毎の情報源符号化モード単位に設定された秘匿化についての優先度に基づいてパケットの秘匿特性を制御するようにしたものである。
【手続補正６】
【補正対象書類名】明細書
【補正対象項目名】００２２
【補正方法】変更
【補正の内容】
【００２２】
この発明に係る限定受信方式の送信装置は、秘匿化・多重化制御手段が秘匿化についての優先度に基づき、暗号の種類、およびＣＢＣモードやＯＦＢモード等の暗号の利用モードを変えて暗号化するようにしたものである。
【手続補正７】
【補正対象書類名】明細書
【補正対象項目名】００２３
【補正方法】変更
【補正の内容】
【００２３】
この発明に係る限定受信方式の送信装置は、秘匿化・多重化制御手段が秘匿化についての優先度に基づき秘匿化期間を制御するようにしたものである。
この発明に係る限定受信方式の送信装置は、多重化手段が、複数の情報源符号化ビット列を該情報源符号化ビット列毎に与えられた多重化遅延に基づく優先度に基づいてパケット単位に多重化して多重化ビット列を生成するようにしたものである。
【手続補正８】
【補正対象書類名】明細書
【補正対象項目名】００７０
【補正方法】変更
【補正の内容】
【００７０】
【発明の効果】
以上のように、この発明によれば、秘匿化・多重化制御手段が多重化ビット列において最大多重化遅延時間よりも大きな時間間隔でスクランブル鍵を更新するように制御する構成としたので、受信側において古い鍵でスクランブルされたパケットと新しい鍵でスクランブルされたパケットとが混在するのが防止されるから、符号化ビット列の復号を確実に実施できて、限定受信方式における信頼性を高めることができるという効果を奏する。
【手続補正９】
【補正対象書類名】明細書
【補正対象項目名】００７２
【補正方法】変更
【補正の内容】
【００７２】
この発明によれば、パケット化・スクランブル手段がパケットの一部分を秘匿化するために使用したスクランブル鍵を格納するＥＣＭを特定するためのＥＣＭ特定番号をパケットのヘッダで通知するように構成したので、当該パケットのスクランブル処理に使用されたスクランブル鍵を特定することができるから、古い鍵でスクランブルされたパケットと新しい鍵でスクランブルされたパケットとが受信側で混在しても符号化ビット列の復号を確実に実施できて、限定受信方式における信頼性を高めることができるという効果を奏する。
【手続補正１０】
【補正対象書類名】明細書
【補正対象項目名】００７４
【補正方法】変更
【補正の内容】
【００７４】
この発明によれば、秘匿化・多重化制御手段が秘匿化についての優先度に基づいてパケットの秘匿特性を制御するように構成したので、各種コンテンツに応じて、あるいはコンテンツ毎の情報源符号化モードに応じて柔軟な秘匿特性を設定できるから、伝送するコンテンツの内容あるいは情報源符号化モードに応じた柔軟な秘匿機能を実現できるという効果を奏する。
【手続補正１１】
【補正対象書類名】明細書
【補正対象項目名】００７５
【補正方法】変更
【補正の内容】
【００７５】
この発明によれば、秘匿化・多重化制御手段が秘匿化についての優先度に基づき、暗号の種類、およびＣＢＣモードやＯＦＢモード等の暗号の利用モードを変えて暗号化するように構成したので、コンテンツの内容または情報源符号化モード等に応じて秘匿の強度を適応的に制御することができるという効果を奏する。
【手続補正１２】
【補正対象書類名】明細書
【補正対象項目名】００７６
【補正方法】変更
【補正の内容】
【００７６】
この発明によれば、秘匿化・多重化制御手段が秘匿化についての優先度に基づき、秘匿化期間を制御するように構成したので、コンテンツの内容または情報源符号化モード等に応じて、一定の期間中、契約者のみ復号可能にすること、あるいは受信者すべてに復号可能にすること等を選別して実施することができるから、受信形態を柔軟に設定することができるという効果を奏する。